(57)【要約】【課題】  芝生を良好に育成することができる芝生育成用ボックス及びこれを用いたゴルフ場のティグラウンドを提供する。【解決手段】  上面に開口部４を有するボックス本体６と、ボックス本体６の開口部４に着脱自在に取り付けられる筒状枠体８と、を備え、ボックス本体６及び筒状枠体８の内部には、芝生２４が植生された土壌２８が充填され、筒状枠体８がボックス本体６の開口部４から取り外されると、土壌２８の一部及び芝生２４がボックス本体６の外部に露出される。したがって、筒状枠体８によってボックス本体６の端部における芝生２４の根３０が水平方向外方に延びるのが阻止されて、下方に向かって延びるようになり、これによりボックス本体６の端部における芝生２４の根付きが良くなり、芝生２４を良好に育成することができる。【選択図】  図３
2008017732.tif 000002
【特許請求の範囲】
【請求項１】
上面に開口部を有するボックス本体と、前記ボックス本体の前記開口部に着脱自在に取り付けられる筒状枠体と、を備え、
前記ボックス本体及び前記筒状枠体の内部には、芝生が植生された土壌が充填され、前記筒状枠体が前記ボックス本体の前記開口部から取り外されると、前記土壌の一部及び前記芝生が前記ボックス本体の外部に露出されることを特徴とする芝生育成用ボックス。
【請求項２】
前記筒状枠体の下端部には突部又は凹部が設けられ、前記ボックス本体の上端部には、前記筒状枠体の前記突部又は凹部と相互に嵌合される凹部又は突部が設けられていることを特徴とする請求項１に記載の芝生育成用ボックス。
【請求項３】
前記筒状枠体の高さは３〜７ｃｍに構成されていることを特徴とする請求項１又は２に記載の芝生育成用ボックス。
【請求項４】
前記ボックス本体の底部には、複数の排水用開口が設けられていることを特徴とする請求項１〜３のいずれかに記載の芝生育成用ボックス。
【請求項５】
ティグラウンドに設けられた収容凹部と、前記収容凹部に着脱自在に収容され、上面に開口部を有するボックス本体と、前記ボックス本体の前記開口部に着脱自在に取り付けられる筒状枠体と、前記ボックス本体及び前記筒状枠体の内部に充填された土壌と、前記土壌に植生された芝生と、を備え、
前記筒状枠体が前記ボックス本体の前記開口部から取り外されると、前記土壌の一部及び前記芝生は、前記ボックス本体の外部に露出して前記ティグラウンドの表層部の一部を構成することを特徴とするゴルフ場のティグラウンド。
【発明の詳細な説明】
【技術分野】
【０００１】
本発明は、芝生を育成するための芝生育成用ボックス及びこれを用いたゴルフ場のティグラウンドに関する。
【背景技術】
【０００２】
ゴルフ場のティグラウンドにおいては、土壌の表面に天然芝のランナーや種子を散布することにより芝生が植生されている。ティグラウンドは頻繁に使用されるため芝生が傷みやすく、このように芝生が傷んだ際には、天然芝のランナーや種子を再び散布して芝生を育成することにより修復しなければならず、ティグラウンドにおける芝生の管理を容易に行うことができない。
【０００３】
このような問題を解決すべく、従来よりカートリッジ芝生が用いられており、このカートリッジ芝生は、内部に培養土が混入された網状板体と、網状板体の上面に植生された芝生と、から構成されている（例えば、特許文献１参照）。ティグラウンドにおける芝生が傷んだ際には、芝生が傷んだ部分の土壌を掘り起こしてこのカートリッジ芝生を埋設することにより、容易に芝生を修復することができる。
【０００４】
【特許文献１】特開平７−２８９０７４号公報
【発明の開示】
【発明が解決しようとする課題】
【０００５】
しかしながら、上述のような従来のカートリッジ芝生では、網状板体の端部に植生された芝生の根の一部は水平方向外方に延びて網状板体内の外部に露出されてしまい、これにより網状板体の端部における芝生の根付きが悪くなり、芝生を良好に育成することができないという問題がある。また、芝生を交換するときには、ティグラウンドの土壌を掘り起こして新しいカートリッジ芝生と交換するようになるため、その交換作業が煩雑であるという問題がある。
【０００６】
本発明の目的は、芝生を良好に育成することができる芝生育成用ボックスを提供することである。
また、本発明の他の目的は、芝生の交換を容易に行うことができ、芝生の育成状態を常に良好に保持することができるゴルフ場のティグラウンドを提供することである。
【課題を解決するための手段】
【０００７】
本発明の請求項１に記載の芝生育成用ボックスでは、上面に開口部を有するボックス本体と、前記ボックス本体の前記開口部に着脱自在に取り付けられる筒状枠体と、を備え、
前記ボックス本体及び前記筒状枠体の内部には、芝生が植生された土壌が充填され、前記筒状枠体が前記ボックス本体の前記開口部から取り外されると、前記土壌の一部及び前記芝生が前記ボックス本体の外部に露出されることを特徴とする。
【０００８】
また、本発明の請求項２に記載の芝生育成用ボックスでは、前記筒状枠体の下端部には突部又は凹部が設けられ、前記ボックス本体の上端部には、前記筒状枠体の前記突部又は凹部と相互に嵌合される凹部又は突部が設けられていることを特徴とする。
【０００９】
さらに、本発明の請求項３に記載の芝生育成用ボックスでは、前記筒状枠体の高さは３〜７ｃｍに構成されていることを特徴とする。
また、本発明の請求項４に記載の芝生育成用ボックスでは、前記ボックス本体の底部には、複数の排水用開口が設けられていることを特徴とする。
【００１０】
さらに、本発明の請求項５に記載のゴルフ場のティグラウンドでは、ティグラウンドに設けられた収容凹部と、前記収容凹部に着脱自在に収容され、上面に開口部を有するボックス本体と、前記ボックス本体の前記開口部に着脱自在に取り付けられる筒状枠体と、前記ボックス本体及び前記筒状枠体の内部に充填された土壌と、前記土壌に植生された芝生と、を備え、
前記筒状枠体が前記ボックス本体の前記開口部から取り外されると、前記土壌の一部及び前記芝生は、前記ボックス本体の外部に露出して前記ティグラウンドの表層部の一部を構成することを特徴とする。
【発明の効果】
【００１１】
本発明の請求項１に記載の芝生育成用ボックスによれば、ボックス本体及び筒状枠体の内部には、芝生が植生された土壌が充填されるので、芝生の周囲が筒状枠体によって覆われるようになり、この筒状枠体によってボックス本体の端部において植生された芝生の根の一部が水平方向外方に延びるのが阻止される。これにより、この芝生の根は下方に向かって延びるようになり、ボックス本体の端部における芝生の根付きを良くすることができ、芝生を良好に育成することが可能となる。また、筒状枠体がボックス本体の開口部から取り外されると、土壌の一部及び芝生がボックス本体の外部に露出されるので、例えばこの芝生育成用ボックスをゴルフ場のティグラウンドに設置した場合には、ボックス本体の上端部がティグラウンドの土壌中に埋設されるようになり、これによりティグラウンドにおいてティショットを打った際に、ゴルフクラブのヘッドがボックス本体の上端部に衝突するのを防止することができる。
【００１２】
また、本発明の請求項２に記載の芝生育成用ボックスによれば、筒状枠体の下端部に設けられた突部又は凹部は、ボックス本体の上端部に設けられた凹部又は突部と相互に嵌合されるので、筒状枠体をボックス本体の開口部に容易に且つ確実に取り付けることができる。
【００１３】
さらに、本発明の請求項３に記載の芝生育成用ボックスによれば、筒状枠体の高さは３〜７ｃｍに構成されているので、筒状枠体をボックス本体の開口部から取り外した際に、ボックス本体内に充填された土壌の上面をボックス本体の開口部より例えば３〜７ｃｍ程度上方に位置付けることができる。したがって、例えばこの芝生育成用ボックスをゴルフ場のティグラウンドに設置した場合には、ボックス本体の上端部がティグラウンドの土壌中に確実に埋設されるようになり、これによりティグラウンドにおいてティショットを打った際に、ゴルフクラブのヘッドがボックス本体の上端部に衝突するのを確実に防止することができる。
【００１４】
また、本発明の請求項４に記載の芝生育成用ボックスによれば、ボックス本体の底部には複数の排水用開口が設けられているので、例えば芝生に対して散水を行う、あるいは雨が降った際などにおいて、ボックス本体内の土壌にしみ込んだ水を複数の排水用開口を通してボックス本体の外部に効率よく排出させることができる。したがって、ボックス本体内の土壌における通水性を高めることができ、これによりボックス本体内に水が溜まることがなく、芝生が根腐れを起こすのを防止することができる。
【００１５】
さらに、本発明の請求項５に記載のゴルフ場のティグラウンドによれば、ティグラウンドに収容凹部が設けられ、この収容凹部にボックス本体が着脱自在に収容されるので、ボックス本体を収容凹部に容易に収容することができる。また、ゴルフ場のティグラウンドの芝生が傷んだ際には、芝生が傷んだ部分に対応するボックス本体を収容凹部より外部に取り外し、芝生が良好に育成された新しいボックス本体をこの収容凹部に収容することにより、ティグラウンドの芝生の育成状態を常に良好に保持することが可能となる。また、ボックス本体を収容凹部に収容する際には、筒状枠体がボックス本体の開口部から取り外されるので、ボックス本体をティグラウンドの収容凹部に収容した状態において、土壌の一部及び芝生がボックス本体の外部に露出してティグラウンドの表層部の一部を構成し、これによりティショットを打った際に、ゴルフクラブのヘッドがボックス本体の上端部に衝突するのを防止することができる。
【発明を実施するための最良の形態】
【００１６】
以下、添付図面を参照して、本発明に従う芝生育成用ボックス及びゴルフ場のティグラウンドの一実施形態について説明する。図１は、本発明の一実施形態による芝生育成用ボックスを示す概略斜視図であり、図２は、図１のボックス本体の開口部から筒状枠体を取り外した状態での芝生育成用ボックスを示す概略斜視図であり、図３は、ボックス本体及び筒状枠体内に芝生を植生した土壌を充填した状態での、図１中のＡ−Ａ線による芝生育成用ボックスの概略断面図であり、図４は、図３の芝生育成用ボックスをティグラウンドの収容凹部に収容した状態でのゴルフ場のティグラウンドを示す概略斜視図であり、図５は、図４中のＢ−Ｂ線によるゴルフ場のティグラウンドの概略断面図である。
【００１７】
図１〜図３を参照して、図示の芝生育成用ボックス２は、上面に開口部４を有するボックス本体６と、ボックス本体６の開口部４に着脱自在に取り付けられる筒状枠体８と、を備えている。
【００１８】
ボックス本体６は、例えばアルミニウムや合成樹脂などから形成され、矩形状の底板部１０と、この底板部１０の各辺からそれぞれ上方に延びる４つの側板部１２ａ〜１２ｄと、を備えている。４つの側板部１２ａ〜１２ｄはテーパ状に拡がっており、ボックス本体６の上面における外形は、その下面における外形よりも幾分大きく構成されている。底板部１０には円形状の複数（本実施形態では２４個）の排水用開口１４が設けられ、また対向する一対の側板部１２ａ，１２ｃにはそれぞれ、円形状の複数（本実施形態では２個）の係止用開口１６が設けられている。底板部１０の下面には、矩形状の枠状の補強部材１７と長板状の一対の補強部材１８ａ，１８ｂとが田の字状に組み合わされて取り付けられており、補強部材１７は側板部１２ａ〜１２ｄの下端部に取り付けられ、また補強部材１８ａ，１８ｂは、補強部材１７の内側において、底板部１０の下面にクロス状に組み合わされて取り付けられている。また、ボックス本体６の上面（すなわち、４つの側板部１２ａ〜１２ｄの各上面）には、複数（本実施形態では８個）の凹部２０が設けられている。本実施形態では、ボックス本体６の寸法は、縦約１００ｃｍ×横約１００ｃｍ×高さ約１０ｃｍに構成されている。
【００１９】
筒状枠体８は、例えばアルミニウムや合成樹脂などから形成され、矩形状の筒状に構成されている。筒状枠体８の外形は、ボックス本体６の上面における外形と略同一に構成されている。筒状枠体８の下端部には、ボックス本体６の複数の凹部２０に対応して、複数（本実施形態では８個）の突部２２が設けられている。筒状枠体８の複数の突部２２をボックス本体６の対応する複数の凹部２０にそれぞれ相互に嵌合させることにより、筒状枠体８がボックス本体６の開口部４に着脱自在に取り付けられる。本実施形態では、筒状枠体８の寸法は、縦約１００ｃｍ×横約１００ｃｍ×高さ約５ｃｍに構成されている。なお、筒状枠体８の高さは、３〜７ｃｍに構成するのが好ましい。
【００２０】
上述のようにして構成された芝生育成用ボックス２を用いた芝生２４の育成は、次のようにして行われる。筒状枠体８がボックス本体６の開口部４に取り付けられた状態において、ボックス本体６及び筒状枠体８の内部には土壌空間２６が規定され、この土壌空間２６には例えば培養土などの土壌２８が充填される。なお、土壌空間２６の下部には、土壌２８内の水捌けを良くするための複数の発泡スチロール材２９が配設されている。また、土壌空間２６に充填された土壌２８の上面は、ボックス本体６の開口部４より例えば約５ｃｍ上方（すなわち、筒状枠体８の高さ位置）に位置付けられている。
【００２１】
芝生育成用ボックス２を例えば日当たりの良い場所に設置し、土壌２８の上面に天然芝のランナーや種子（図示しない）などを散布し、この天然芝のランナーや種子などに対して所定期間散水や施肥を行うことにより、天然芝が育成されてその根３０が土壌２８内に延び、このようにして芝生２４が土壌２８に植生される。
【００２２】
筒状枠体８は芝生２４の周囲を覆うように配設されているので、ボックス本体６の端部における芝生２４の根３０は、筒状枠体８により水平方向外方に延びるのが阻止される。これにより、この芝生２４の根３０は下方に向かって延びるようになり、ボックス本体６の端部における芝生２４の根付きを良くすることができ、芝生２４を良好に育成することができる。
【００２３】
なお、例えば芝生２４に対して散水を行った際に、ボックス本体６内の土壌２８にしみ込んだ水は、ボックス本体６の底板部１０の複数の排水用開口１４を通してボックス本体６の外部に効率よく排出されるので、水がボックス本体６内に溜まることがなく、芝生２４が根腐れを起こすのを防止することができる。ボックス本体６は、耐腐食性を有するアルミニウムなどから形成されているので、ボックス本体６が水により腐食することがない。
【００２４】
図４及び図５をも参照して、上述のようにして芝生２４が育成された芝生育成用ボックス２は、例えば次のようにしてゴルフ場のティグラウンド３２に設置される。ゴルフ場のティグラウンド３２には矩形状の収容凹部３４が設けられており、この収容凹部３４は、ティグラウンド３２の所定領域における土壌３６を例えばシャベル（図示しない）などで掘り起こすことにより形成される。本実施形態では、この収容凹部３４の寸法は、縦約３００ｃｍ×横約３００ｃｍ×深さ約１５ｃｍに構成されている。なお、収容凹部３４の深さは、ボックス本体６の底板部１０から土壌２８の上面までの高さと略同一に構成するのが好ましい。
【００２５】
この収容凹部３４には、複数（本実施形態では９個）の芝生育成用ボックス２が次のようにして着脱自在に収容される。すなわち、例えばクレーン３７の下端部には４つのフック３８が設けられた吊上枠３９が取り付けられ、この吊上枠３９のフック３８をボックス本体６の係止用開口１６に係止させてクレーン３７により芝生育成用ボックス２を持ち上げ、収容凹部３４内の所定箇所に芝生育成用ボックス２を降ろして収容する。このようにクレーン３７により芝生育成用ボックス２を持ち上げた際に、ボックス本体６内の土壌２８の重量（例えば、数十ｋｇ程度）がボックス本体６の底板部１０に加わるようになるが、ボックス本体６の底板部１０は補強部材１７及び一対の補強部材１８ａ，１８ｂによって下方より支持されるので、ボックス本体６の底板部１０が撓んで変形するのを防止することができる。なお、クレーン３７により芝生育成用ボックス２を持ち上げた際に、フック３８により係止用開口１６が変形されるのを防止するため、ボックス本体６の内面における係止用開口１６の周囲には補強板（図示しない）を取り付けるのが好ましい。
【００２６】
上述のようにして、複数の芝生育成用ボックス２を収容凹部３４に例えば縦３列×横３列に並べて収容し、各芝生育成用ボックス２の筒状枠体８をボックス本体６の開口部４よりそれぞれ取り外す。このように筒状枠体８を取り外すと、土壌２８の上端部及び芝生２４がボックス本体６の外部に露出し、この収容凹部３４に収容された状態において、ボックス本体６内に充填された土壌２８の上面が、収容凹部３４の周囲におけるティグラウンド３２の土壌３６の上面と略同一面上に位置付けられる。これにより、この土壌２８の一部及び芝生２４がティグラウンド３２の表層部の一部を構成し、またティグラウンド３２において段差が生じることがないため、ゴルフのプレーの支障になることがなく、またティグラウンド３２の外観を損なうこともない。
【００２７】
また、上述のように芝生育成用ボックス２を収容凹部３４に収容した際に、ボックス本体６の上端部はティグラウンド３２の土壌３６内（すなわち、収容凹部３４内）に埋設されるようになるので、ティグラウンド３２においてティショットを打った際に、ゴルフクラブのヘッド（図示しない）がボックス本体６の上端部に衝突するのを防止することができ、また芝刈り機（図示しない）などを用いて芝生２４の手入れをする際の妨げになることがない。
【００２８】
また、例えば芝生２４に対して散水を行う、あるいは雨が降った際には、ボックス本体６内の土壌にしみ込んだ水は、ボックス本体６の底板部１０の複数の排水用開口１４を通してボックス本体６の外部に効率よく排出されるので、ティグラウンド３２の土壌３６における通水性を損なうことがない。
【００２９】
ティグラウンド３２を使用することによりその芝生２４が傷んだ際には、芝生２４の傷んだ部位に対応する芝生育成用ボックス２を例えばクレーン３７などを用いて収容凹部３４より外部に取り出し、芝生２４が良好に育成された新しい芝生育成用ボックス２をこの収容凹部３４に収容することにより、迅速に芝生２４の修復を行うことができるとともに、ティグラウンド３２における芝生２４の育成状態を常に良好に保持することが可能となる。
【００３０】
次に、図６を参照して、芝生育成用ボックスの他の実施形態について説明する。図６は、本発明の他の実施形態による芝生育成用ボックスを示す概略斜視図である。この他の実施形態において、上述した実施形態の構成要素と実質上同一の構成要素には、同一の符号を付してその説明を省略する。
【００３１】
図６において、この他の実施形態の芝生育成用ボックス２Ａでは、筒状枠体８Ａは、長板状の４つの板部材４０を相互に矩形状の筒状に組み合わせることにより構成される。各板部材４０の下端部にはそれぞれ複数（本実施形態では２個）の突部２２が設けられており、板部材４０の複数の突部２２をボックス本体６Ａの対応する複数の凹部２０に相互に嵌合させることにより、各板部材４０がボックス本体６Ａの上端部に着脱自在に取り付けられる。したがって、芝生育成用ボックス２Ａをゴルフ場のティグラウンド（図示しない）の収容凹部（図示しない）に収容した際に、筒状枠体８Ａの４つの板部材４０のうち適宜の板部材４０を取り外すことができ、例えばゴルフ場のグリーン方向に対向する板部材４０のみを取り外すことができる。あるいは、上述した実施形態と同様に、４つの板部材４０のうち全ての板部材４０を取り外すようにしてもよい。
【００３２】
また、ボックス本体６Ａの底板部１０Ａの四隅にはそれぞれ、雌ネジ部（図示しない）が形成された貫通孔４２が形成されている。この貫通孔４２には、貫通孔４２の雌ネジ部と螺合される雄ネジ部４４が形成された螺条棒４６が螺着されており、この螺条棒４６の下端部には円盤状の支持部４８が取り付けられている。この螺条棒４６を貫通孔４２に対して図６中の矢印Ｐ（矢印Ｑ）で示す方向に相対的に回転させると、螺条棒４６が貫通孔４２に対して相対的に図６中の矢印Ｒ（矢印Ｓ）で示す方向に移動され、これにより収容凹部の底部とボックス本体６Ａの底板部１０Ａとの距離を小さく（大きく）設定することができる。したがって、収容凹部の深さに応じて収容凹部の底部からのボックス本体６Ａの高さを適宜調節することができ、ボックス本体６Ａ内に充填された土壌（図示しない）の上面を収容凹部の周囲におけるティグラウンドの土壌の上面と略同一面上に容易に位置付けることができる。
【００３３】
以上、本発明に従う芝生育成用ボックス及びゴルフ場のティグラウンドの種々の実施形態について説明したが、本発明はかかる実施形態に限定されるものではなく、本発明の範囲を逸脱することなく種々の変形乃至修正が可能である。
【００３４】
例えば、上記各実施形態では、ティグラウンド３２の収容凹部３４に９個の芝生育成用ボックス２（２Ａ）を収容するように構成したが、これに限られず、収容凹部３４の大きさを適宜設定することにより、適宜の数の芝生育成用ボックス２（２Ａ）を収容凹部３４に収容することができる。例えば、収容凹部３４の寸法を縦約４００ｃｍ×横約３００ｃｍ×深さ約１３ｃｍに構成することにより、１２個の芝生育成用ボックス２（２Ａ）を縦３列×横４列に並べて収容凹部３４に収容することができる。あるいは、既存のゴルフ場のティグラウンド３２において、芝生の傷んだ部分の土壌３６を掘り起こして収容凹部３４を形成し、この収容凹部３４に芝生育成用ボックス２（２Ａ）を収容するようにしても良い。
【００３５】
また例えば、上記各実施形態では、芝生育成用ボックス２（２Ａ）をゴルフ場のティグラウンド３２に設置するようにしたが、例えば運動競技場やビルの屋上、公園などに設置するようにしてもよい。例えばビルの屋上や公園などに複数の芝生育成用ボックス２Ａを並べて設置して緑地帯を形成する場合には、この緑地帯の外周部に配設される筒状枠体８Ａの板部材４０のみをボックス本体６Ａに取り付けておき、残りの板部材４０はボックス本体６Ａから取り外すようにしてもよく、これにより、この緑地帯で子供などが遊ぶ際に板部材４０が邪魔になることがない。
【００３６】
また例えば、上記各実施形態では、ボックス本体６（６Ａ）の上端部に複数の凹部２０を設け、筒状枠体８（８Ａ）の下端部に複数の突部２２を設けるようにしたが、これとは反対に、ボックス本体６（６Ａ）の上端部に複数の突部を設け、筒状枠体８（８Ａ）の下端部に複数の凹部を設けるようにしてもよい。あるいは、上述のような凹部２０及び突部２２を省略し、ボックス本体６（６Ａ）の開口部４における外周部に、開口部４より上方に延びる板状の複数の支持部材（図示しない）を設けるようにしてもよく、かく構成した場合には、筒状枠体８（８Ａ）をボックス本体６（６Ａ）の開口部４に取り付けると、これら複数の支持部材がそれぞれ筒状枠体８（８Ａ）の外周面に支持され、これにより筒状枠体８（８Ａ）がボックス本体６（６Ａ）の開口部４に位置決め固定される。
【図面の簡単な説明】
【００３７】
【図１】本発明の一実施形態による芝生育成用ボックスを示す概略斜視図である。
【図２】図１のボックス本体の開口部から筒状枠体を取り外した状態での芝生育成用ボックスを示す概略斜視図である。
【図３】ボックス本体及び筒状枠体内に芝生を植生した土壌を充填した状態での、図１中のＡ−Ａ線による芝生育成用ボックスの概略断面図である。
【図４】図３の芝生育成用ボックスをティグラウンドの収容凹部に収容した状態でのゴルフ場のティグラウンドを示す概略斜視図である。
【図５】図４中のＢ−Ｂ線によるゴルフ場のティグラウンドの概略断面図である。
【図６】本発明の他の実施形態による芝生育成用ボックスを示す概略斜視図である。
【符号の説明】
【００３８】
２，２Ａ  芝生育成用ボックス
６，６Ａ  ボックス本体
８，８Ａ  筒状枠体
１４  排水用開口
２０  凹部
２２  突部
２４  芝生
２８  土壌
３２  ティグラウンド
３４  収容凹部
【図１】
2008017732.tif 000003
【図２】
2008017732.tif 000004
【図３】
2008017732.tif 000005
【図４】
2008017732.tif 000006
【図５】
2008017732.tif 000007
【図６】
2008017732.tif 000008